(57)【特許請求の範囲】
【請求項１】
基地局とユーザ装置とを備える移動通信システムにおける前記ユーザ装置であって、
前記基地局から、複数のシグナリング値と、当該複数のシグナリング値のそれぞれに対応する複数の最大送信電力値とを受信し、当該複数のシグナリング値のうちの１つのシグナリング値を選択し、当該選択したシグナリング値に対応する最大送信電力値を選択する選択手段と、
セル選択又はセル再選択における判定対象のセルに対して予め定められた最低受信レベル値から、前記最大送信電力値に基づく補償値を引いて得られた補正値と、当該判定対象のセルに対して測定した受信レベル値とを用いて、当該判定対象のセルにおける当該受信レベル値が所定の条件を満たすか否かを判定することによりセル選択又はセル再選択を実行する制御手段と
を備えることを特徴とするユーザ装置。
【請求項２】
前記選択手段は、前記基地局から、前記複数のシグナリング値のいずれにも対応しない共通最大送信電力値を受信し、
前記制御手段は、前記最大送信電力値から前記共通最大送信電力値を引くことにより前記補償値を算出する
ことを特徴とする請求項１に記載のユーザ装置。
【請求項３】
前記複数のシグナリング値は優先度順に並べられており、前記選択手段は、前記複数のシグナリング値の中から、前記ユーザ装置がサポートするシグナリング値のうち、最も優先度の高いシグナリング値を選択する
ことを特徴とする請求項１又は２に記載のユーザ装置。
【請求項４】
前記所定の条件は、前記受信レベル値から前記補正値を引いた値が０より大きいことである
ことを特徴とする請求項１ないし３のうちいずれか１項に記載のユーザ装置。
【請求項５】
前記制御手段は、セル選択を行う際には、前記基地局からＳＩＢ１で受信した最大送信電力値を使用し、セル再選択を行う際には、前記基地局からＳＩＢ３又はＳＩＢ５で受信した最大送信電力値を使用する
ことを特徴とする請求項１ないし４のうちいずれか１項に記載のユーザ装置。
【請求項６】
前記制御手段は、セル再選択を行う際に、前記基地局からＳＩＢ１で受信した最大送信電力値を使用する
ことを特徴とする請求項１ないし４のうちいずれか１項に記載のユーザ装置。
【請求項７】
基地局とユーザ装置とを備える移動通信システムにおける前記ユーザ装置であって、
前記基地局から、複数のシグナリング値と、当該複数のシグナリング値のそれぞれに対応する複数の最大送信電力値とを受信し、当該複数のシグナリング値のうちの１つのシグナリング値を選択し、当該選択したシグナリング値に対応する最大送信電力値を選択する選択手段と、
セル選択又はセル再選択における判定対象のセルに対して、少なくとも式１：Srxlev >0を満たすか否かを判定することによりセル選択又はセル再選択を実行する制御手段と、を備え、
前記式１におけるSrxlevは、式２：Srxlev = Qrxlevmeas - (Qrxlevmin + Qrxlevminoffset) - Pcompensationで表わされ、
前記式２におけるQrxlevmeasは、前記判定対象のセルに対して測定した受信レベル値であり、前記式２におけるQrxlevminは、当該セルにおいて要求される最低受信レベルであり、前記式２におけるQrxlevminoffsetは、オフセットであり、
前記式２におけるPcompensationは、式３：max(PEMAX1 -PPowerClass, 0) - (min(PEMAX2, PPowerClass) - min(PEMAX1, PPowerClass))で表わされ、
前記式３におけるPEMAX1は、所定の最大送信電力値であり、前記式３におけるPEMAX2は、前記選択手段により選択された最大送信電力値であり、前記式３におけるPPowerClassは、前記ユーザ装置のパワークラスに基づく最大出力電力値である
ことを特徴とするユーザ装置。
【請求項８】
基地局とユーザ装置とを備える移動通信システムであって、
前記基地局は、
複数のシグナリング値と、当該複数のシグナリング値のそれぞれに対応する複数の最大送信電力値とを送信する手段を備え、
前記ユーザ装置は、
前記基地局から、前記複数のシグナリング値と、当該複数のシグナリング値のそれぞれに対応する複数の最大送信電力値とを受信し、当該複数のシグナリング値のうちの１つのシグナリング値を選択し、当該選択したシグナリング値に対応する最大送信電力値を選択する選択手段と、
セル選択又はセル再選択における判定対象のセルに対して予め定められた最低受信レベル値から、前記最大送信電力値に基づく補償値を引いて得られた補正値と、当該判定対象のセルに対して測定した受信レベル値とを用いて、当該判定対象のセルにおける当該受信レベル値が所定の条件を満たすか否かを判定することによりセル選択又はセル再選択を実行する制御手段と、を備える、
ことを特徴とする移動通信システム。
【請求項９】
基地局とユーザ装置とを備える移動通信システムにおける前記ユーザ装置が実行するセル選択方法であって、
前記基地局から、複数のシグナリング値と、当該複数のシグナリング値のそれぞれに対応する複数の最大送信電力値とを受信し、当該複数のシグナリング値のうちの１つのシグナリング値を選択し、当該選択したシグナリング値に対応する最大送信電力値を選択し、
セル選択又はセル再選択における判定対象のセルに対して予め定められた最低受信レベル値から、前記最大送信電力値に基づく補償値を引いて得られた補正値と、当該判定対象のセルに対して測定した受信レベル値とを用いて、当該判定対象のセルにおける当該受信レベル値が所定の条件を満たすか否かを判定することによりセル選択又はセル再選択を実行する
ことを特徴とするセル選択方法。
【発明の詳細な説明】
【技術分野】
【０００１】
本発明は、移動通信システムにおいてユーザ装置が実行するセル選択の技術に関連するものである。
【背景技術】
【０００２】
ＬＴＥ（Ｌｏｎｇ Ｔｅｒｍ Ｅｖｏｌｕｔｉｏｎ）方式では、同一地域で利用される無線システムに対して、干渉を与えないように、帯域外輻射規定等が設けられている。一般に、本規定は、各国の国内法規にて定められているものであり、通信事業者は、この規格に基づく無線システムを運用することが求められる。
【０００３】
一方で、帯域の利用方法やそのシステム種別によっては、隣接システムへの許容干渉レベルに対して、十分な減衰を得ることができないケースが想定される。
【０００４】
特に、ＬＴＥでは、広帯域送信となり、Ｓｐｕｒｉｏｕｓによるノイズが、より離れた周波数に高いレベルで届きやすいため、デュプレクサ等のアナログデバイスによる抑圧では、当該規定を満たすことが現実的ではない場合がある。
【０００５】
このような場合に対応するために、ＬＴＥ方式では、ユーザ装置ＵＥの送信電力をＲＢ（リソースブロック）の送信位置や数に応じて低減してよいように規定がなされている。ここで、許容可能な送信電力の最大低減量は、「Ａ−ＭＰＲ（Ａｄｄｉｔｉｏｎａｌ−Ｍａｘｉｍｕｍ Ｐｏｗｅｒ Ｒｅｄｕｃｔｉｏｎ）」 として規定されている（非特許文献１参照）。
【０００６】
ただし、保護すべき無線システムが各国、各地域に常に存在するわけではないので、当該Ａ−ＭＰＲは、ＮＷ（基地局ｅＮＢ）から特定の信号「ＮＳ（Ｎｅｔｗｏｒｋ Ｓｉｇｎａｌｉｎｇ）  ｖａｌｕｅ」（以下、ＮＳ値）が報知された場合に適用が許容されている。
【０００７】
従来技術におけるＮＳ値は、ＳＩＢ２（ＳｙｓｔｅｍＩｎｆｏｒｍａｔｉｏｎＢｌｏｃｋＴｙｐｅ２）のａｄｄｉｔｉｏｎａｌＳｐｅｃｔｒｕｍＥｍｉｓｓｉｏｎにより報知される値である（非特許文献２）。図１にＮＳ値とそれに対応する送信条件（Ｒｅｑｕｉｒｅｍｅｎｔｓ、ｂａｎｄ、ｂａｎｄｗｉｄｔｈ、ＲＢ数、許容Ａ−ＭＰＲ値）の例を示す（非特許文献１のＴａｂｌｅ  ６．２．４−１からの抜粋）。「送信条件」とはより具体的には、「ａｄｄｉｔｉｏｎａｌ  ｓｐｅｃｔｒｕｍ  ｅｍｉｓｓｉｏｎ  ｍａｓｋ  ａｎｄ  Ａｄｄｉｔｉｏｎａｌ ｓｐｕｒｉｏｕｓ ｅｍｉｓｓｉｏｎｓ  ｒｅｑｕｉｒｅｍｅｎｔｓ」（追加のスペクトル放射及び追加のスプリアスエミッション要求条件）である。
【０００８】
例えば、あるセルに在圏して、基地局ｅＮＢからＮＳ＿０５を受信したユーザ装置ＵＥは、図１のＮＳ＿０５に対応するＲＢ数等を使用する際に、非特許文献１の「６．６．３．３．１  Ｍｉｎｉｍｕｍ  ｒｅｑｕｉｒｅｍｅｎｔ  （ｎｅｔｗｏｒｋ  ｓｉｇｎａｌｌｅｄ  ｖａｌｕｅ  "ＮＳ＿０５"）」で規定されるような送信電力に対して、１ｄＢ以下のＡ−ＭＰＲが許容される。
【０００９】
ＮＳ値は、バンド（ｏｐｅｒａｔｉｎｇ  ｂａｎｄ）及びチャネル帯域幅（ｃｈａｎｎｅｌ  ｂａｎｄｗｉｄｔｈ）毎に必要に応じて規定されている。
【００１０】
ここで、ユーザ装置ＵＥが使用するバンドの全てのチャネル帯域幅、あるいは、バンドの特定のチャネル帯域幅に対して規定されていないＮＳ値を受信した場合のユーザ装置ＵＥの動作は規定されていないが、ユーザ装置ＵＥは、任意のバンド及び任意のチャネル帯域幅においてデフォルトでＮＳ＿０１（Ａ−ＭＰＲ無）を理解可能である。
【００１１】
ここで、あるバンドの標準化を完了した後、新たにｒｅｇｕｌａｔｉｏｎが追加された、あるいは、急遽他の国で特定のバンドを特定の保護規格で利用するようになり、新規にＮＳ値及び／又は関連するＡ−ＭＰＲの適用条件を規定したとしても、既に発売されているユーザ装置ＵＥは、新ＮＳ値を理解できない（ｕｎｅｘｐｅｃｔｅｄ  ＮＳ）ため、受信後の動作が明確ではない可能性がある（ｒｅｇｕｌａｔｉｏｎを満足しない、あるいは、当該セルには、ｃａｍｐ  ｏｎしないといった可能性がある）。
【００１２】
上記の問題に対し、基地局ｅＮＢが複数のＮＳ値を報知し、当該複数のＮＳ値を受信するユーザ装置ＵＥが、複数のＮＳ値から、適用可能な最も優先度の高い（ｈｉｇｈｅｓｔ  ｐｒｉｏｒｉｔｙ）ＮＳ値を適用することが提案されている（非特許文献３、非特許文献４）。また、同非特許文献において、各ＮＳ値に対応するＰｍａｘ（ＵＥの最大送信電力）も合わせて報知することが提案されている。この場合、ユーザ装置ＵＥは、適用するＮＳ値に対応するＰｍａｘを使用する。このような方式を「Ｍｕｌｔｉｐｌｅ  Ｐｍａｘ／ＮＳ」と呼ぶことにする。
【先行技術文献】
【非特許文献】
【００１３】
【非特許文献１】３ＧＰＰ  ＴＳ  ３６．１０１  Ｖ１２．８．０  （２０１５−０７）
【非特許文献２】３ＧＰＰ  ＴＳ  ３６．３３１  Ｖ１２．６．０  （２０１５−０６）
【非特許文献３】３ＧＰＰ  ＴＳＧ−ＲＡＮ  ＷＧ２  Ｍｅｅｔｉｎｇ  ＃９１  Ｒ２−１５３４６０
【非特許文献４】３ＧＰＰ  ＴＳＧ−ＲＡＮ  ＷＧ２  Ｍｅｅｔｉｎｇ  ＃９１  Ｒ２−１５３４６８
【非特許文献５】３ＧＰＰ  ＴＳ  ３６．３０４  Ｖ１２．５．０  （２０１５−０６）
【発明の概要】
【発明が解決しようとする課題】
【００１４】
Ｍｕｌｔｉｐｌｅ  Ｐｍａｘ／ＮＳにおいて、例えば、基地局ｅＮＢは、Ａ−ＭＰＲを許容されていないＮＳ＿０１と、Ａ−ＭＰＲを許容するＮＳ＿５０を報知する。このとき、ＮＳ＿０１を適用するユーザ装置ＵＥ（便宜上、これを"旧ＵＥ"と呼ぶ）には、Ａ−ＭＰＲが許容されていないので、上りの干渉を抑えるために、最大送信電力として低い値が設定されることが考えられ、ＮＳ＿５０を適用するユーザ装置ＵＥ（"新ＵＥ"と呼ぶ）には、Ａ−ＭＰＲが許容されているので、最大送信電力として高い値を設定してよいと考えられる。
【００１５】
そこで、例えば、基地局ｅＮＢはＮＳ＿０１用のＰｍａｘとして１７ｄＢｍを報知し、ＮＳ＿５０用にＰｍａｘとして２３ｄＢｍを報知することを想定する。なお、これらの数値は一例である。また、ＮＳ＿０１用のＰｍａｘは、既存のｐ−Ｍａｘであってよい。
【００１６】
ところで、ユーザ装置ＵＥが、在圏するセルを選択するセル選択（Ｃｅｌｌ  Ｓｅｌｅｃｔｉｏｎ）において、当該セルは、少なくとも、「ｃｅｌｌ  ｓｅｌｅｃｔｉｏｎ  ｃｒｉｔｅｒｉｏｎ  Ｓ」（非特許文献５：５．２．３．２    Ｃｅｌｌ  Ｓｅｌｅｃｔｉｏｎ  Ｃｒｉｔｅｒｉｏｎ）における「Ｓｒｘｌｅｖ＞０」を満たす必要がある。Ｓｒｘｌｅｖは以下の式で計算される。
【００１７】
Srxlev = Qrxlevmeas - (Qrxlevmin + Qrxlevminoffset) - Pcompensation - Qoffsettemp
各パラメータの意味は非特許文献５に記載されているとおりである。特に、Ｑｒｘｌｅｖｍｉｎは、当該セルにおいて要求される最低受信レベル（受信電力）であり、報知情報（ＳＩＢ１）の値ｑ−ＲｘＬｅｖＭｉｎ×２として求められる値である。ここでは、Ｑｒｘｌｅｖｍｉｎｏｆｆｓｅｔ、Ｐｃｏｍｐｅｎｓａｔｉｏｎ、及びＱｏｆｆｓｅｔｔｅｍｐは０であるとする。
【００１８】
例えば、Ｑｒｘｌｅｖｍｉｎを−１２５  ｄＢｍと仮定する。この値は、例えば、旧ＵＥ（Ｐｍａｘ＝１７ｄＢｍ）の上り信号が届く範囲でのカバレッジが形成されるように設定された値である。つまり、当該Ｑｒｘｌｅｖｍｉｎは、１７ｄＢｍ用の値である。このときのカバレッジを図２のＢで示す。
【００１９】
これに対して新ＵＥは、最大２３ｄＢｍの送信電力で送信を行うことが可能なので、送信電力の観点からは、図２のＡで示すように、旧ＵＥと比較してカバレッジのエリアを広げることができる。しかしながら、報知情報に基づき、旧ＵＥと新ＵＥとで同じＱｒｘｌｅｖｍｉｎが設定される。従って、例えば、新ＵＥが図２のＣの位置にいる場合、Ｓｒｘｌｅｖ＞０を満たさず、圏外となってしまう。すなわち、新ＵＥと旧ＵＥのいずれにとっても、カバレッジは図２のＢとなる。
【００２０】
このように、新ＵＥは、本来、より広いカバレッジで通信を行うことができるにも関わらず、狭いカバレッジでしか通信ができなくなり、ハンドオーバの増加等により、システム全体のパフォーマンスの低下につながる可能性がある。セル再選択においてもセル選択での上記条件判定と同じ条件判定が含まれるため、セル再選択においても同様の問題が生じ得る。
【００２１】
本発明は上記の点に鑑みてなされたものであり、基地局から複数のシグナリング値と、各シグナリング値に対応する最大送信電力値とが送信される移動通信システムにおいて、ユーザ装置が適切にセル選択又はセル再選択を行うことを可能とする技術を提供することを目的とする。
【課題を解決するための手段】
【００２２】
本発明の実施の形態によれば、基地局とユーザ装置とを備える移動通信システムにおける前記ユーザ装置であって、
前記基地局から、複数のシグナリング値と、当該複数のシグナリング値のそれぞれに対応する複数の最大送信電力値とを受信し、当該複数のシグナリング値のうちの１つのシグナリング値を選択し、当該選択したシグナリング値に対応する最大送信電力値を選択する選択手段と、
セル選択又はセル再選択における判定対象のセルに対して予め定められた最低受信レベル値から、前記最大送信電力値に基づく補償値を引いて得られた補正値と、当該判定対象のセルに対して測定した受信レベル値とを用いて、当該判定対象のセルにおける当該受信レベル値が所定の条件を満たすか否かを判定することによりセル選択又はセル再選択を実行する制御手段と
を備えることを特徴とするユーザ装置が提供される。
【００２３】
また、本発明の実施の形態によれば、基地局とユーザ装置とを備える移動通信システムであって、
前記基地局は、
複数のシグナリング値と、当該複数のシグナリング値のそれぞれに対応する複数の最大送信電力値とを送信する手段を備え、
前記ユーザ装置は、
前記基地局から、前記複数のシグナリング値と、当該複数のシグナリング値のそれぞれに対応する複数の最大送信電力値とを受信し、当該複数のシグナリング値のうちの１つのシグナリング値を選択し、当該選択したシグナリング値に対応する最大送信電力値を選択する選択手段と、
セル選択又はセル再選択における判定対象のセルに対して予め定められた最低受信レベル値から、前記最大送信電力値に基づく補償値を引いて得られた補正値と、当該判定対象のセルに対して測定した受信レベル値とを用いて、当該判定対象のセルにおける当該受信レベル値が所定の条件を満たすか否かを判定することによりセル選択又はセル再選択を実行する制御手段と、を備える、
ことを特徴とする移動通信システムが提供される。
【００２４】
また、本発明の実施の形態によれば、基地局とユーザ装置とを備える移動通信システムにおける前記ユーザ装置が実行するセル選択方法であって、
前記基地局から、複数のシグナリング値と、当該複数のシグナリング値のそれぞれに対応する複数の最大送信電力値とを受信し、当該複数のシグナリング値のうちの１つのシグナリング値を選択し、当該選択したシグナリング値に対応する最大送信電力値を選択し、
セル選択又はセル再選択における判定対象のセルに対して予め定められた最低受信レベル値から、前記最大送信電力値に基づく補償値を引いて得られた補正値と、当該判定対象のセルに対して測定した受信レベル値とを用いて、当該判定対象のセルにおける当該受信レベル値が所定の条件を満たすか否かを判定することによりセル選択又はセル再選択を実行する
ことを特徴とするセル選択方法が提供される。
【発明の効果】
【００２５】
本発明の実施の形態によれば、基地局から複数のシグナリング値と、各シグナリング値に対応する最大送信電力値とが送信される移動通信システムにおいて、ユーザ装置が適切にセル選択又はセル再選択を行うことを可能とする技術が提供される。
【図面の簡単な説明】
【００２６】
【図１】Ａ−ＭＰＲの例を示す図である。
【図２】課題を説明するための図である。
【図３】本発明の実施の形態に係る通信システムの構成図である。
【図４】ＳＩＢ１メッセージの仕様変更例を示す図である。
【図５】ＳＩＢ１メッセージの仕様変更例を示す図である。
【図６】本実施の形態における処理シーケンス例を示す図である。
【図７】「Ｃｅｌｌ  Ｓｅｌｅｃｔｉｏｎ  Ｃｒｉｔｅｒｉｏｎ」の仕様変更例を示す図である。
【図８】ＰＥＭＡＸｃｏｍｐｅｎｓａｔｉｏｎを適用する場合の効果を示す図である。
【図９】（１）、（３）の式を用いる場合における「Ｃｅｌｌ  Ｓｅｌｅｃｔｉｏｎ  Ｃｒｉｔｅｒｉｏｎ」の仕様変更例を示す図である。
【図１０】ＳＩＢ１メッセージの仕様変更例を示す図である。
【図１１】ＳＩＢ１メッセージの仕様変更例を示す図である。
【図１２】ＳＩＢ５メッセージの仕様変更例を示す図である。
【図１３】ＳＩＢ５メッセージの仕様変更例を示す図である。
【図１４】ＳＩＢ５メッセージの仕様変更例を示す図である。
【図１５】ＳＩＢ５メッセージの仕様変更例を示す図である。
【図１６】ＳＩＢ３メッセージの仕様変更例を示す図である。
【図１７】ＳＩＢ３メッセージの仕様変更例を示す図である。
【図１８】ＳＩＢ３メッセージの仕様変更例を示す図である。
【図１９】ＳＩＢ３メッセージの仕様変更例を示す図である。
【図２０】ＳＩＢ３メッセージ受信時のＵＥ動作に関する仕様変更例を示す図である。
【図２１】図２０に対応するＳＩＢ１メッセージの仕様変更例を示す図である。
【図２２】図２０に対応するＳＩＢ１メッセージの仕様変更例を示す図である。
【図２３】図２１に示すＳＩＢ１メッセージ受信時のＵＥ動作に関する仕様変更例を示す図である。
【図２４】ユーザ装置ＵＥの構成図である。
【図２５】ユーザ装置ＵＥのＨＷ構成図である。
【図２６】基地局ｅＮＢの構成図である。
【図２７】基地局ｅＮＢのＨＷ構成図である。
【発明を実施するための形態】
【００２７】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本明細書及び特許請求の範囲において、「ＬＴＥ」の用語は３ＧＰＰのＲｅｌ−８以降のＲｅｌの方式（ここでは、５Ｇも含むこととする）の意味で使用する。
【００２８】
また、以下では、複数のＮＳ値に対応する最大送信電力をＰｍａｘＮｅｗと記載し、既存のｐ−Ｍａｘ（複数のＮＳ値のいずれにも対応しない共通最大送信電力）をＰｍａｘと記載する。
【００２９】
以下では、前述した課題を解決するための技術について、第１の実施の形態、第２の実施の形態、及び変形例を説明する。
【００３０】
（第１の実施の形態）
＜システム全体構成＞
図３に、本発明の実施の形態に係る通信システムの構成図（第１、第２の実施の形態、変形例に共通）を示す。図３に示すように、本実施の形態の通信システムは、基地局ｅＮＢとユーザ装置ＵＥを含む。図３には、基地局ｅＮＢとユーザ装置ＵＥが１つずつ示されているが、これは例であり、それぞれ複数あってもよい。
【００３１】
本実施の形態では、基地局ｅＮＢは、複数のＮＳ値と、各ＮＳ値に対応する最大送信電力（ＰｍａｘＮｅｗ）とをシステム情報（例：ＳＩＢ１）で報知する機能を有する。一例として、基地局ｅＮＢは、優先度の高い順番（ｄｅｃｒｅａｓｉｎｇ  ｏｒｄｅｒ  ｏｆ  ｐｒｉｏｒｉｔｙ）で複数のＮＳ値が並べられたリストをＳＩＢ２で送信するとともに、当該リストでの各ＮＳ値に対応するＰｍａｘＮｅｗのリストをＳＩＢ１で送信する。また、基地局ｅＮＢは、複数のＮＳ値と、それに対応する複数のＰｍａｘＮｅｗとを組にしたリストをＳＩＢ１で送信してもよい。
【００３２】
このようなリストを受信したユーザ装置ＵＥは、通知された複数のＮＳ値の中で、自身が適用するバンド（ｏｐｅｒａｔｉｎｇ  ｂａｎｄ）で、もしくは自身が適用するバンド及びＤＬチャネル帯域幅（ｃｈａｎｎｅｌ  ｂａｎｄｗｉｄｔｈ）で、自身が適用可能なＮＳ値のうち最も優先度の高いＮＳ値を選択し、当該ＮＳ値に対応するＰｍａｘＮｅｗを選択する。
【００３３】
一例として、ユーザ装置ＵＥが適用するあるバンドに対して、基地局ｅＮＢが、ＮＳ＿５０、ＮＳ＿０３、ＮＳ＿０１（優先度の高い順）、及び、ＮＳ＿５０、ＮＳ＿０３、ＮＳ＿０１のそれぞれに対応するＰｍａｘＮｅｗとして、ＰｍａｘＮｅｗ１、ＰｍａｘＮｅｗ２、ＰｍａｘＮｅｗ３を送信する。そして、ユーザ装置ＵＥがＮＳ＿５０を適用する場合、ユーザ装置ＵＥはＮＳ＿５０に対応するＰｍａｘＮｅｗ１を選択し、適用する。なお、最低優先のＮＳ値（ＮＳ＿０１）に対応するＰｍａｘＮｅｗに関しては、既存のｐ−Ｍａｘ（Ｐｍａｘ）を用いることとしてもよい。
【００３４】
上記のようなＮＳ値とＰｍａｘＮｅｗの報知を実現する３ＧＰＰ仕様書（３ＧＰＰ  ＴＳ  ３６．３３１）の記載例（抜粋）を、非特許文献２からの変更箇所に下線を引いた形で図４、図５に示す。ここに示す例は、非特許文献４に記載されているものである。
【００３５】
図４、図５に示すように、この例では、基地局ｅＮＢは、ＳＩＢ１を用いて、バンド毎に、ＮＳ値とＰｍａｘＮｅｗのリストを送信する。当該ＳＩＢ１を受信したユーザ装置ＵＥは、選択したバンド（例：ｆｒｅｑＢａｎｄＩｎｄｉｃａｔｏｒで示すバンド）に対応するＮＳ値のリストから、自身がサポートする最初の（優先度の最も高い）ＮＳ値（ａｄｄｉｔｉｏｎａｌ  ｓｐｅｃｔｒｕｍ  ｅｍｉｓｓｉｏｎ  ｖａｌｕｅ）を選択し、当該ＮＳ値に対応するＰｍａｘＮｅｗを選択する。もしもリストの中にユーザ装置ＵＥが適用可能なＮＳ値がない場合、ユーザ装置ＵＥは、既存のｐ−Ｍａｘ（Ｐｍａｘ）を適用する。
【００３６】
＜シーケンス例＞
次に、本実施の形態に係る通信システムの動作の例として、ＲＲＣアイドル状態におけるセル選択時の動作の例を図６のシーケンス図を参照して説明する。なお、セル選択においては、受信品質（ＲＳＲＱ）の測定、及び判定も行ってよいが、本例では、受信電力（ＲＳＲＰ）の測定、及び判定に着目した説明を行う。受信電力のことを受信レベルと称しても良い。
【００３７】
図６に示す例において、ユーザ装置ＵＥはセルサーチにより基地局ｅＮＢから同期信号（ＰＳＳ／ＳＳＳ）を受信し（ステップＳ１０１）、同期をとるとともにセルＩＤ（ＰＣＩ）を取得する。同期信号により同期がとれた当該セルに関して、ユーザ装置ＵＥは、基地局ｅＮＢから送信される参照信号（ＣＲＳ）を受信し、受信電力（ＲＳＲＰ）の測定を行う（ステップＳ１０２）。ここでは、複数セルの受信電力（ＲＳＲＰ）を測定していると想定する。
【００３８】
ユーザ装置ＵＥは、参照信号のＲＳＲＰが最も高いセル（ベストセル）として（図６に示す）基地局ｅＮＢのセルを選択する。
【００３９】
ステップＳ１０３において、ユーザ装置ＵＥは、基地局ｅＮＢから報知されるシステム情報（ＭＩＢ、ＳＩＢ１等）を受信する。ここでのＳＩＢ１は、例えば、図４、図５に示したように、バンド毎に、ＮＳ値とＰｍａｘＮｅｗのリスト、及びＰｍａｘを含むものである。
【００４０】
ステップＳ１０４において、ユーザ装置ＵＥは、自身が適用するバンドにおけるＮＳ値を選択するとともに、当該ＮＳ値に対応するＰｍａｘＮｅｗを選択する。
【００４１】
なお、ユーザ装置ＵＥは、ＭＩＢに含まれるＤＬ帯域幅情報により、自身が当該セルで適用するＤＬチャネル帯域幅（ｃｈａｎｎｅｌ  ｂａｎｄｗｉｄｔｈ）を決定する。また、ＳＩＢ１に含まれるバンド情報により自身が当該セルで適用するバンド（ｏｐｅｒａｔｉｎｇ  ｂａｎｄ）を決定する。ＵＬチャネル帯域幅は、ＳＩＢ２にＵＬ帯域幅情報が含まれない限り、ＤＬと同じとみなす。ＳＩＢ２にＵＬ帯域幅情報が含まれる場合、ＳＩＢ２で報知されている値を、当該セルで適用するＵＬチャネル帯域幅（ｃｈａｎｎｅｌ  ｂａｎｄｗｉｄｔｈ）として決定する。
【００４２】
ステップＳ１０５において、「ｃｅｌｌ  ｓｅｌｅｃｔｉｏｎ  ｃｒｉｔｅｒｉｏｎ  Ｓ」の判定を行う。本例では、「ｃｅｌｌ  ｓｅｌｅｃｔｉｏｎ  ｃｒｉｔｅｒｉｏｎ  Ｓ」を満足し、当該セルを選択する。
【００４３】
図２を参照して説明した問題を解決するために、本実施の形態では、「Ｓｒｘｌｅｖ＞０」の判定を行う際のＳｒｘｌｅｖの計算において、ＰｍａｘＮｅｗからＰｍａｘを引いた値である「ＰＥＭＡＸｃｏｍｐｅｎｓａｔｉｏｎ」を測定値に加えることとしている。言いかえると、「ＰＥＭＡＸｃｏｍｐｅｎｓａｔｉｏｎ」を予め定めた最低受信レベル値（Ｑｒｘｌｅｖｍｉｎ）から引き、引いた後の最低受信レベル値を新たな最低受信レベル値と見なしてＳｒｘｌｅｖを計算する。より詳細には以下のとおりである。
【００４４】
本実施の形態におけるＳｒｘｌｅｖの計算を適用する際の３ＧＰＰ仕様書（３ＧＰＰ  ＴＳ  ３６．３０４）の記載例（抜粋）を、非特許文献５からの変更箇所に下線を引いた形で図７に示す。
【００４５】
図７に示すように、Ｓｒｘｌｅｖは以下の式で計算される。
【００４６】
Srxlev = 
Qrxlevmeas-(Qrxlevmin+Qrxlevminoffset)-Pcompensation-Qoffsettemp +PEMAXcompensation
Ｑｒｘｌｅｖｍｅａｓは受信レベルの測定値であり、ＱｒｘｌｅｖｍｉｎとＱｒｘｌｅｖｍｉｎｏｆｆｓｅｔは、システム情報（例：ＳＩＢ１）で報知されるパラメータである。Ｑｏｆｆｓｅｔｔｅｍｐは、タイマ（Ｔ３００）が満了した際に使用されるパラメータ（ｃｏｎｎＥｓｔＦａｉｌＯｆｆｓｅｔ）であり、本実施の形態では考慮しなくてもよい（０としてよい）。Ｐｃｏｍｐｅｎｓａｔｉｏｎは、「ｍａｘ（ＰＥＭＡＸ-ＰＰｏｗｅｒＣｌａｓｓ，０）」であり、この中のＰＥＭＡＸとしてＰｍａｘＮｅｗを使用することができる。本例（大きなＰｍａｘｎＮｅｗが２３ｄＢ）では、Ｐｃｏｍｐｅｎｓａｔｉｏｎを０と考えてもよい。なお、ここでは、上記のＰＥＭＡＸとして、ＰｍａｘＮｅｗとＰｍａｘのいずれを使用する場合でも、「ｍａｘ（ＰＥＭＡＸ-ＰＰｏｗｅｒＣｌａｓｓ，０）」が０となる場合を想定している。つまり、ＰｍａｘＮｅｗとＰｍａｘのいずれも、ＰＰｏｗｅｒＣｌａｓｓ（ＵＥのパワークラスに基づく最大送信電力）と同じか、ＰＰｏｗｅｒＣｌａｓｓよりも小さい場合を想定している。
【００４７】
なお、ここでは、「(Qrxlevmin+Qrxlevminoffset)+Pcompensation+Qoffsettemp」全体を予め定めた最低受信レベル値と呼んでもよい。
【００４８】
よって、本例では、便宜上、以下の式でＳｒｘｌｅｖを計算すると考えることができる。
【００４９】
Srxlev = 測定値（Qrxlevmeas）−（定数（Qrxlevmin）−PEMAXcompensation）
ＰＥＭＡＸｃｏｍｐｅｎｓａｔｉｏｎについて、より詳細には、図７に示すとおり、「Ｍａｘ（ＰｍａｘＮｅｗ−Ｐｍａｘ，０）」で求められる。なお、Ｍａｘ（Ａ，Ｂ）は、ＡとＢのうちの大きな値を返す関数である。前述したように、ＰｍａｘＮｅｗは、ユーザ装置ＵＥが当該セルで適用する最大送信電力であり、Ｐｍａｘは、既存のｐ−Ｍａｘの値である。なお、ＰＥＭＡＸｃｏｍｐｅｎｓａｔｉｏｎを「Ｍａｘ（ＰｍａｘＮｅｗ−Ｐｍａｘ，０）」で求めることは一例である。例えば、ＰｍａｘＮｅｗから、Ｐｍａｘ以外の所定値を引いた値をＰＥＭＡＸｃｏｍｐｅｎｓａｔｉｏｎとしてもよい。また、これら以外の方法で、ＰｍａｘＮｅｗに基づきＰＥＭＡＸｃｏｍｐｅｎｓａｔｉｏｎを算出してもよい。また、「ＰｍａｘＮｅｗ−Ｐｍａｘ」における「Ｐｍａｘ」として、最も優先度の低いＮＳ値に対応するＰｍａｘＮｅｗを用いてもよい。
【００５０】
ここで、図２の例で考えて、ＰｍａｘＮｅｗ＝２３ｄＢｍ、Ｐｍａｘ＝１７ｄＢｍとすると、ＰＥＭＡＸｃｏｍｐｅｎｓａｔｉｏｎ＝６ｄＢとなる。そして、上記の定数（予め定めた最低受信レベル値）を−１２５ｄＢｍとすると、「定数−ＰＥＭＡＸｃｏｍｐｅｎｓａｔｉｏｎ」は、−１３１ｄＢｍとなる。よって、ＰＥＭＡＸｃｏｍｐｅｎｓａｔｉｏｎを使用する場合は、これを使用しない場合と比較して、Ｓｒｘｌｅｖ＞０を満たすための測定値（Ｑｒｘｌｅｖｍｅａｓ）は小さくなり、ユーザ装置ＵＥにとってのカバレッジが広くなる。
【００５１】
すなわち、図８に示すように、ＰＥＭＡＸｃｏｍｐｅｎｓａｔｉｏｎを適用しない場合のカバレッジがＢであるのに対して、ＰＥＭＡＸｃｏｍｐｅｎｓａｔｉｏｎを適用する場合には、「ＰｍａｘＮｅｗ−Ｐｍａｘ」の分だけカバレッジが広くなり、Ａで示すカバレッジが得られる。
【００５２】
上述したように、これまでに説明した例では、ＰｍａｘＮｅｗとＰｍａｘのいずれも、ＰＰｏｗｅｒＣｌａｓｓと同じか、ＰＰｏｗｅｒＣｌａｓｓよりも小さいという想定の下、以下の式を用いた。
【００５３】
Srxlev = 
Qrxlevmeas-(Qrxlevmin+Qrxlevminoffset)-Pcompensation-Qoffsettemp +PEMAXcompensation
これまでに説明した例に代えて、ユーザ装置ＵＥは、以下の（１）の式に示すように、既存の式を用いてＳｒｘｌｅｖを計算することとしてもよい。ただし、この場合、Pcompensationは、（２）の式に示すようにして計算する。
【００５４】
（１）Srxlev = Qrxlevmeas-(Qrxlevmin+Qrxlevminoffset)-Pcompensation-Qoffsettemp
（２）Pcompensation = max(P_EMAX[legacy] - PPowerClass, 0) - max{min(P_EMAX[new], PPowerClass) - P_EMAX[legacy], 0} (dB)
上記（２）の式において、P_EMAX[legacy]はＰｍａｘ（既存のｐ−Ｍａｘ）に相当し、P_EMAX[new]はＰｍａｘＮｅｗに相当する。
【００５５】
上記の（１）、（２）の式を用いる場合、ＰｍａｘＮｅｗとＰｍａｘのいずれも、ＰＰｏｗｅｒＣｌａｓｓと同じか、ＰＰｏｗｅｒＣｌａｓｓよりも小さいという想定に限定されない。以下、P_EMAX[legacy]、P_EMAX[new]、PPowerClassの大小関係に応じて、上記（２）の式がどのような値になるか説明する。
【００５６】
（ａ）P_EMAX[legacy]>PPowerClass、かつ、P_EMAX[new]>PPowerClass
この場合、Pcompensation = (P_EMAX[legacy] - PPowerClass) - max{ PPowerClass - P_EMAX[legacy], 0} ＝ (P_EMAX[legacy] - PPowerClass)となる。つまり、P_EMAX[legacy]>PPowerClassであっても、ユーザ装置ＵＥの最大送信電力は、PPowerClassに限定されるので、その分の補償（カバレッジを狭くする方向の補償）をPcompensationにより行うのである。
【００５７】
（ｂ）P_EMAX[legacy]>PPowerClass、かつ、P_EMAX[new]<PPowerClass
この場合、Pcompensation =
(P_EMAX[legacy] - PPowerClass) - max{(P_EMAX[new] - P_EMAX[legacy]), 0}= (P_EMAX[legacy] - PPowerClass)となる。つまり、（ａ）と同じである。
【００５８】
（ｃ）P_EMAX[legacy]<PPowerClass、かつ、P_EMAX[new]<PPowerClass
この場合、Pcompensation = - max{(P_EMAX[new]- P_EMAX[legacy]), 0}となる。この場合は、「ＰｍａｘＮｅｗとＰｍａｘのいずれも、PPowerClassと同じか、ＰＰｏｗｅｒＣｌａｓｓよりも小さいという想定」の下で、前述したPEMAXcompensationの項を設けて計算する場合と同じである。
【００５９】
（ｄ）P_EMAX[legacy]<PPowerClass、かつ、P_EMAX[new]>PPowerClass
この場合、Pcompensation = -max{(PPowerClass - P_EMAX[legacy]), 0}=- (PPowerClass - P_EMAX[legacy])となる。この場合、(PPowerClass - P_EMAX[legacy])の分だけ、カバレッジを広げる方向に補償がなされる。
【００６０】
なお、ここでの例では、「(Qrxlevmin+Qrxlevminoffset)+ Qoffsettemp」全体を予め定めた最低受信レベル値と呼んでもよい。本例では、便宜上、以下の式でＳｒｘｌｅｖを計算すると考えることができる。
【００６１】
Srxlev = 測定値（Qrxlevmeas）−（定数（Qrxlevmin）＋Pcompensation）
上記の（ｃ）や（ｄ）に示したように、予め定めた最低受信レベル値から、最大送信電力値（P_EMAX[new]、PPowerClass 等）に基づく補償値（(P_EMAX[new]- P_EMAX[legacy])、(PPowerClass - P_EMAX[legacy])等）を引いて得られた補正値と、受信レベル値（Qrxlevmeas）とからＳｒｘｌｅｖが算出される。
【００６２】
上記の式（１）、（２）を用いた例は、特に、P_EMAX[legacy] < P_EMAX[new] である場合に適している。すなわち、例えば、上記の（ｃ）の場合において、P_EMAX[legacy] > P_EMAX[new]であるとすると、Pcompensation =0となり、カバレッジの観点からP_EMAX[legacy] > P_EMAX[new]であることが反映できない可能性がある。そこで、P_EMAX[legacy] > P_EMAX[new] のケースも考慮して、以下の式（１）、（３）を用いてＳｒｘｌｅｖを計算することとしてもよい。（１）は上記の（１）と同じである。
【００６３】
（１）Srxlev = Qrxlevmeas-(Qrxlevmin+Qrxlevminoffset)-Pcompensation-Qoffsettemp
（３）Pcompensation = max(P_EMAX[legacy] - PPowerClass, 0) - {min(P_EMAX[new], PPowerClass) - min(P_EMAX[legacy], PPowerClass)} (dB)
上記（３）の式において、P_EMAX[legacy]はＰｍａｘ（既存のｐ−Ｍａｘ）に相当し、P_EMAX[new]はＰｍａｘＮｅｗに相当する。
【００６４】
上記の（１）、（３）の式を用いる場合も、ＰｍａｘＮｅｗとＰｍａｘのいずれも、ＰＰｏｗｅｒＣｌａｓｓと同じか、ＰＰｏｗｅｒＣｌａｓｓよりも小さいという想定に限定されない。以下、P_EMAX[legacy]、P_EMAX[new]、PPowerClassの大小関係に応じて、上記（３）の式がどのような値になるか説明する。
【００６５】
（ｅ）P_EMAX[legacy]>PPowerClass、かつ、P_EMAX[new]>PPowerClass
この場合、Pcompensation = (P_EMAX[legacy] - PPowerClass) -  { PPowerClass -PPowerClass}＝ (P_EMAX[legacy] - PPowerClass)となる。つまり、P_EMAX[legacy]>PPowerClassであっても、ユーザ装置ＵＥの最大送信電力は、PPowerClassに限定されるので、その分の補償（カバレッジを狭くする方向の補償）をPcompensationにより行うのである。
【００６６】
（ｆ）P_EMAX[legacy]>PPowerClass、かつ、P_EMAX[new]<PPowerClass
この場合、Pcompensation =
(P_EMAX[legacy] - PPowerClass) - {P_EMAX[new] -PPowerClass} = (P_EMAX[legacy] - P_EMAX[new])となる。この場合、(P_EMAX[legacy] - P_EMAX[new])の分の補償（カバレッジを狭くする方向の補償）が行われる。
【００６７】
（ｇ）P_EMAX[legacy]<PPowerClass、かつ、P_EMAX[new]<PPowerClass
この場合、Pcompensation = 0 - { P_EMAX[new]- P_EMAX[legacy] }= P_EMAX[legacy] - P_EMAX[new]となる。この場合は、P_EMAX[legacy] < P_EMAX[new]であれば、前述したPEMAXcompensationの項を設けて計算する場合と同じである。また、式（２）を用いる場合と異なり、P_EMAX[legacy] > P_EMAX[new]であれば、(P_EMAX[legacy] - P_EMAX[new])の分の補償（カバレッジを狭くする方向の補償）が行われる。
【００６８】
（ｈ）P_EMAX[legacy]<PPowerClass、かつ、P_EMAX[new]>PPowerClass
この場合、Pcompensation = - (PPowerClass - P_EMAX[legacy])となる。この場合、(PPowerClass - P_EMAX[legacy])の分だけ、カバレッジを広げる方向に補償がなされる。
【００６９】
なお、ここでの例でも、「(Qrxlevmin+Qrxlevminoffset)+ Qoffsettemp」全体を予め定めた最低受信レベル値と呼んでもよい。本例でも、便宜上、以下の式でＳｒｘｌｅｖを計算すると考えることができる。
【００７０】
Srxlev = 測定値（Qrxlevmeas）−（定数（Qrxlevmin）＋Pcompensation）
上記の（ｇ）や（ｈ）に示したように、予め定めた最低受信レベル値から、最大送信電力値（P_EMAX[new]、PPowerClass 等）に基づく補償値（(P_EMAX[new]- P_EMAX[legacy])、(PPowerClass - P_EMAX[legacy])等）を引いて得られた補正値と、受信レベル値（Qrxlevmeas）とからＳｒｘｌｅｖが算出される。
【００７１】
上記の式（１）、（３）を用いた例により、P_EMAX[legacy] < P_EMAX[new] である場合のみならず、P_EMAX[legacy] > P_EMAX[new]である場合でも、適切にＳｒｘｌｅｖ を算出できる。
【００７２】
図９に、上記の式（１）、（３）を用いる場合の仕様書（３ＧＰＰ  ＴＳ  ３６．３０４）の変更例を、非特許文献５からの変更箇所に下線を引いた形で示す。図９において、PEMAX1が上記のP_EMAX[legacy]に対応し、PEMAX2がP_EMAX[new]に対応する。
【００７３】
（第２の実施の形態）
上述した第１の実施の形態では、例えば、「ＰＥＭＡＸｃｏｍｐｅｎｓａｔｉｏｎ」を予め定めた最低受信レベル値（Ｑｒｘｌｅｖｍｉｎ）から引き、引いた後の最低受信レベル値を新たな最低受信レベル値と見なしてＳｒｘｌｅｖを計算することで課題を解決していた。課題を解決する手法は、これに限られず、以下で説明する手法でも解決可能である。当該手法を第２の実施の形態として説明する。以下、第１の実施の形態と異なる点について主に説明する。
【００７４】
本実施の形態では、「ＰＥＭＡＸｃｏｍｐｅｎｓａｔｉｏｎ」、もしくは前述した（１）、（２）の式、あるいは（１）、（３）の式を使用する代わりに、ＮＳ値とＰｍａｘＮｅｗに対応したＱｒｘｌｅｖｍｉｎを使用する。すなわち、従来技術では、新ＵＥも旧ＵＥも同じＱｒｘｌｅｖｍｉｎ（つまり、同じｑ−ＲｘＬｅｖＭｉｎ）を使用するために、図２で説明したような課題が生じていたが、本実施の形態では、基地局ｅＮＢが、報知情報にて、ＮＳ値とＰｍａｘＮｅｗに対応したｑ−ＲｘＬｅｖＭｉｎをユーザ装置ＵＥに報知する。これにより、ユーザ装置ＵＥは、ＮＳ値／ＰｍａｘＮｅｗに対応したＱｒｘｌｅｖｍｉｎ（最低受信レベル）を使用してＳｒｘｌｅｖの計算を行うことができ、課題が解決される。
【００７５】
本実施の形態において、上記のようなＮＳ値、ＰｍａｘＮｅｗ、及び、これらに対応した新たなｑ−ＲｘＬｅｖＭｉｎ（これをｑ−ＲｘＬｅｖＭｉｎ−ＰｍａｘＮｅｗと記述する）の報知を実現する３ＧＰＰ仕様書（３ＧＰＰ  ＴＳ  ３６．３３１）の記載例（抜粋）を、非特許文献２からの変更箇所に下線を引いた形で図１０、図１１に示す。
【００７６】
図１０、図１１に示すように、この例では、基地局ｅＮＢは、ＳＩＢ１を用いて、バンド毎に、ＮＳ値とＰｍａｘＮｅｗとｑ−ＲｘＬｅｖＭｉｎ−ＰｍａｘＮｅｗのリストを送信する。当該ＳＩＢ１を受信したユーザ装置ＵＥは、選択したバンド（例：ｆｒｅｑＢａｎｄＩｎｄｉｃａｔｏｒで示すバンド）に対応するＮＳ値のリストから、自身がサポートする最初の（優先度の最も高い）ＮＳ値（ａｄｄｉｔｉｏｎａｌ  ｓｐｅｃｔｒｕｍ  ｅｍｉｓｓｉｏｎ  ｖａｌｕｅ）を選択し、当該ＮＳ値に対応するＰｍａｘＮｅｗ及びｑ−ＲｘＬｅｖＭｉｎ−ＰｍａｘＮｅｗを選択する。もしもリストの中にユーザ装置ＵＥが適用可能なＮＳ値がない場合、ユーザ装置ＵＥは、既存のｐ−Ｍａｘ（Ｐｍａｘ）及び既存のｑ−ＲｘＬｅｖＭｉｎを適用する。
【００７７】
なお、ＮＳ値とＰｍａｘＮｅｗとｑ−ＲｘＬｅｖＭｉｎ−ＰｍａｘＮｅｗのリストをＳＩＢ１で送信することは一例に過ぎない。例えば、ＳＩＢ１ではＰｍａｘＮｅｗとｑ−ＲｘＬｅｖＭｉｎ−ＰｍａｘＮｅｗを送信し、ＳＩＢ２でＮＳ値を送信してもよい。
【００７８】
上記のＳＩＢ１の情報を受信し、ＮＳ値、ＰｍａｘＮｅｗ、及びｑ−ＲｘＬｅｖＭｉｎ−ＰｍａｘＮｅｗを選択したユーザ装置ＵＥは、セル選択において、ｑ−ＲｘＬｅｖＭｉｎ−ＰｍａｘＮｅｗに基づき、例えば「ｑ−ＲｘＬｅｖＭｉｎ−ＰｍａｘＮｅｗ×２」としてＱｒｘｌｅｖｍｉｎを算出する。そして、非特許文献５に記載されている以下の式によりＳｒｘｌｅｖを求め、「Ｓｒｘｌｅｖ＞０」の判定を行う。
【００７９】
Srxlev = Qrxlevmeas - (Qrxlevmin + Qrxlevminoffset) - Pcompensation - Qoffsettemp
第１の実施の形態でも説明したように、便宜上、以下の式でＳｒｘｌｅｖを計算すると考えることができる。
【００８０】
Srxlev = 測定値（Qrxlevmeas）−定数（Qrxlevmin）
ここで、図２の例で考えて、ＰｍａｘＮｅｗ＝２３ｄＢｍ（新ＵＥ）、Ｐｍａｘ＝１７ｄＢｍ（旧ＵＥ）とすると、ＰｍａｘＮｅｗ＝２３ｄＢｍに対応する定数（Ｑｒｘｌｅｖｍｉｎ、ＰｍａｘＮｅｗに対応するｑ−ＲｘＬｅｖＭｉｎ−ＰｍａｘＮｅｗから算出される定数）は、Ｐｍａｘ＝１７ｄＢｍに対応する定数（Ｑｒｘｌｅｖｍｉｎ、ｑ−ＲｘＬｅｖＭｉｎから算出される定数）よりも小さな値が設定されることが想定される。一例として、ＰｍａｘＮｅｗ＝２３ｄＢｍに対応する定数（Ｑｒｘｌｅｖｍｉｎ）が−１３１ｄＢｍであり、Ｐｍａｘ＝１７ｄＢｍに対応する定数（Ｑｒｘｌｅｖｍｉｎ）が−１２５ｄＢｍであるとする。すると、新ＵＥにおいて、Ｓｒｘｌｅｖ＞０を満たすための測定値（Ｑｒｘｌｅｖｍｅａｓ）は、旧ＵＥに比べて小さくなり、新ＵＥにとってのカバレッジが広くなる。
【００８１】
すなわち、図８を用いて説明すると、ｑ−ＲｘＬｅｖＭｉｎ−ＰｍａｘＮｅｗを適用しない場合（既存のｑ−ＲｘＬｅｖＭｉｎを適用する場合）のカバレッジがＢであるのに対して、ｑ−ＲｘＬｅｖＭｉｎ−ＰｍａｘＮｅｗを適用する場合にはカバレッジが広くなり、Ａで示すカバレッジが得られる。
【００８２】
（変形例）
これまで、ユーザ装置ＵＥが、セル選択を行う際に、ＰＥＭＡＸｃｏｍｐｅｎｓａｔｉｏｎを適用したＳｒｘｌｅｖの計算を行う例、（１）、（２）の式を用いる例、（１）、（３）の式を用いる例、及び、ｑ−ＲｘＬｅｖＭｉｎ−ＰｍａｘＮｅｗを適用する例を説明した。ここで、ユーザ装置ＵＥが、あるセルから別のセルに在圏する場合等に実行するセル再選択（ｃｅｌｌ  ｒｅｓｅｌｅｃｔｉｏｎ）においても、在圏する（遷移先の）セルを選択する際の条件の１つとして、セル選択と同様の「ｃｅｌｌ  ｓｅｌｅｃｔｉｏｎ  ｃｒｉｔｅｒｉｏｎ  Ｓ」がある。つまり、在圏しようとするセル（ターゲットセル）において、Ｓｒｘｌｅｖ＞０を満たす必要がある。よって、ユーザ装置ＵＥは、セル選択の場合と同様に、セル再選択においても、ＰＥＭＡＸｃｏｍｐｅｎｓａｔｉｏｎを適用したＳｒｘｌｅｖの計算、（１）、（２）の式を用いたＳｒｘｌｅｖの計算、（１）、（３）の式を用いたＳｒｘｌｅｖの計算、もしくは、ｑ−ＲｘＬｅｖＭｉｎ−ＰｍａｘＮｅｗを適用したＳｒｘｌｅｖの計算を行う。ただし、Ｓｒｘｌｅｖの計算に用いるパラメータは、ターゲットセルにおけるパラメータであり、以下で説明するように、当該パラメータは、基地局ｅＮＢからＳＩＢ３、ＳＩＢ５により報知する。
【００８３】
本実施の形態における通信システムでは、セル再選択として、同一周波数セル再選択（ｉｎｔｒａ−ｆｒｅｑｕｅｎｃｙ  ｃｅｌｌ  ｒｅ−ｓｅｌｅｃｔｉｏｎ）と異周波数セル再選択（ｉｎｔｅｒ−ｆｒｅｑｕｅｎｃｙ  ｃｅｌｌ  ｒｅ−ｓｅｌｅｃｔｉｏｎ）がある。
【００８４】
同一周波数セル再選択において、ユーザ装置ＵＥは、在圏しているセル（ｓｅｒｖｉｎｇ  ｃｅｌｌ）における参照信号の受信電力が所定値以下になった場合に、当該セルの周波数（キャリア周波数と呼んでもよい）と同じ周波数の周辺セル（ｎｅｉｇｈｂｏｒｉｎｇ  ｃｅｌｌ）における受信電力の測定を開始し、測定結果に基づいて周辺セルに遷移するかどうかを決定する。
【００８５】
一方、異周波数セル再選択では、ユーザ装置ＵＥは、優先度等に基づき、在圏しているセルの周波数と異なる周波数の周辺セルの測定を行って、測定結果に基づいて周辺セルに遷移するかどうかを決定する。異周波数セル再選択では、基地局ｅＮＢからユーザ装置ＵＥに送信される複数種類のシステム情報のうちの１つであるＳＩＢ５（Ｓｙｓｔｅｍ  ｉｎｆｏｒｍａｔｉｏｎ  Ｂｌｏｃｋ  Ｔｙｐｅ  ５）に含まれる情報が用いられる（非特許文献２）。
【００８６】
非特許文献２に記載されている従来のＳＩＢ５には、周辺セルの周波数毎に「ＩｎｔｅｒＦｒｅｑＣａｒｒｉｅｒＦｒｅｑＩｎｆｏ」が存在する。「ＩｎｔｅｒＦｒｅｑＣａｒｒｉｅｒＦｒｅｑＩｎｆｏ」には、周波数（ｄｌ−ＣａｒｒｉｅｒＦｒｅｑのフィールドの値）、最大送信電力（ｐ−Ｍａｘのフィールドの値）、プライオリティ（ｃｅｌｌＲｅｓｅｌｅｃｔｉｏｎＰｒｉｏｒｉｔｙのフィールドの値）、各種閾値（ｔｈｒｅｓｈＸ−Ｈｉｇｈ、ｔｈｒｅｓｈＸ−Ｌｏｗ等のフィールドの値）等が含まれる。
【００８７】
上記のｐ−Ｍａｘの値は、遷移先のセル（ターゲットセル）でのＰｍａｘに相当する。しかし、従来技術において、ＳＩＢ５には、ターゲットセルのＮＳ値が含まれないため、上記のｐ−Ｍａｘがターゲットセルの選定において最適な値ではない可能性がある。
【００８８】
そこで、本変形例では、異周波数セル再選択において、ユーザ装置ＵＥが遷移先のセルを適切に判定できるように、ＳＩＢ５の中に、周辺セルの周波数毎に、複数のＮＳ値と、当該複数のＮＳ値のそれぞれに対応するｐ−Ｍａｘの値（以下、ＰｍａｘＮｅｗ）を含めることとしている。
【００８９】
また、第２の実施の形態で説明したように、ｑ−ＲｘＬｅｖＭｉｎ−ＰｍａｘＮｅｗを用いる場合には、ＳＩＢ５の中に、周辺セルの周波数毎に、複数のＮＳ値と、当該複数のＮＳ値のそれぞれに対応するＰｍａｘＮｅｗ、及びｑ−ＲｘＬｅｖＭｉｎ−ＰｍａｘＮｅｗを含めることとしている。
【００９０】
各周波数についての複数のＮＳ値は、例えば、優先度の高い順（ｄｅｃｒｅａｓｉｎｇ  ｏｒｄｅｒ  ｏｆ  ｐｒｉｏｒｉｔｙ）に並べられたリストとして基地局ｅＮＢからユーザ装置ＵＥに通知される。また、当該複数のＮＳ値に対応する複数のＰｍａｘＮｅｗの値は、ＮＳ値のリストにおけるＮＳ値の並び順と同じ順番でＰｍａｘＮｅｗを並べたリストとして通知される。また、ＮＳ値と当該ＮＳ値に対応するＰｍａｘＮｅｗの値とを組とし、当該組を優先度の高い順番に並べたリストをＳＩＢ５に含め、基地局ｅＮＢからユーザ装置ＵＥに通知してもよい。また、ｑ−ＲｘＬｅｖＭｉｎ−ＰｍａｘＮｅｗを用いる場合には、各ＮＳ値／ＰｍａｘＮｅｗに対応するｑ−ＲｘＬｅｖＭｉｎ−ＰｍａｘＮｅｗが通知される。
【００９１】
なお、リストでの値の並べ方について、優先度の高い順とすることは例であり、優先度の低い順であってもよい。
【００９２】
第１の実施の形態に基づく計算（ＰＥＭＡＸｃｏｍｐｅｎｓａｔｉｏｎを使用する計算、（１）、（２）の式を用いる計算、（１）、（３）の式を用いる計算）を行う場合、一例として、ＳＩＢ５で通知する異周波数が周波数１と周波数２である場合において、ＳＩＢ５の中に、周波数１に対して「（ＮＳ値１，ＰｍａｘＮｅｗ１），（ＮＳ値２，ＰｍａｘＮｅｗ２），（ＮＳ値３，ＰｍａｘＮｅｗ３）」が含められ、周波数２に対して「（ＮＳ値１，ＰｍａｘＮｅｗ１），（ＮＳ値４，ＰｍａｘＮｅｗ４），（ＮＳ値５，ＰｍａｘＮｅｗ５）」が含められる。例えば（ＮＳ値１，ＰｍａｘＮｅｗ１）は、ＮＳ値１とＰｍａｘＮｅｗ１が対応していることを示す。
【００９３】
ＳＩＢ５に含まれる上記のリストを受信したユーザ装置ＵＥが、異周波数セル再選択において、例えば「周波数１」のセルに遷移するかどうかの判定を行う際に、ＳＩＢ５における「周波数１」に対応するＮＳ値のリスト（又は、ＮＳ値とＰｍａｘＮｅｗとの組のリスト）を参照して、当該「周波数１」において、ユーザ装置ＵＥが適用可能なＮＳ値のうち、最も優先度の高いＮＳ値を選択し、更に、当該ＮＳ値に対応するＰｍａｘＮｅｗを選択し、選択したＰｍａｘＮｅｗを適用してＳｒｘｌｅｖを計算し、「Ｓｒｘｌｅｖ＞０」を満たすかどうかの判定を行う。Ｓｒｘｌｅｖの計算は、セル選択の場合と同じであり、ＰＥＭＡＸｃｏｍｐｅｎｓａｔｉｏｎ、もしくは、（１）、（２）の式、あるいは（１）、（３）の式を使用する。
【００９４】
例えば、周波数１に対応するリストが「（ＮＳ値１，ＰｍａｘＮｅｗ１），（ＮＳ値２，ＰｍａｘＮｅｗ２），（ＮＳ値３，ＰｍａｘＮｅｗ３）」である場合において、ユーザ装置ＵＥがＮＳ値２とＮＳ値３に対応しており、ＮＳ値２がＮＳ値３よりも優先度が高い場合に、ユーザ装置ＵＥはＮＳ値２を選択し、これに対応するＰｍａｘＮｅｗ２を用いて周波数１のセルに遷移するかどうかを決定する。
【００９５】
また、第２の実施の形態に基づく計算（ｑ−ＲｘＬｅｖＭｉｎ−ＰｍａｘＮｅｗを使用する計算）を行う場合、一例として、ＳＩＢ５で通知する異周波数が周波数１と周波数２である場合において、ＳＩＢ５の中に、周波数１に対して「（ＮＳ値１，ＰｍａｘＮｅｗ１，ｑ−ＲｘＬｅｖＭｉｎ−ＰｍａｘＮｅｗ１），（ＮＳ値２，ＰｍａｘＮｅｗ２，ｑ−ＲｘＬｅｖＭｉｎ−ＰｍａｘＮｅｗ２），（ＮＳ値３，ＰｍａｘＮｅｗ３，ｑ−ＲｘＬｅｖＭｉｎ−ＰｍａｘＮｅｗ３）」が含められ、周波数２に対して「（ＮＳ値１，ＰｍａｘＮｅｗ１，ｑ−ＲｘＬｅｖＭｉｎ−ＰｍａｘＮｅｗ１），（ＮＳ値４，ＰｍａｘＮｅｗ４，ｑ−ＲｘＬｅｖＭｉｎ−ＰｍａｘＮｅｗ４），（ＮＳ値５，ＰｍａｘＮｅｗ５，ｑ−ＲｘＬｅｖＭｉｎ−ＰｍａｘＮｅｗ５）」が含められる。例えば（ＮＳ値１，ＰｍａｘＮｅｗ１，ｑ−ＲｘＬｅｖＭｉｎ−ＰｍａｘＮｅｗ１）は、ＮＳ値１とＰｍａｘＮｅｗ１とｑ−ＲｘＬｅｖＭｉｎ−ＰｍａｘＮｅｗ１が対応していることを示す。
【００９６】
ＳＩＢ５に含まれる上記のリストを受信したユーザ装置ＵＥが、異周波数セル再選択において、例えば「周波数１」のセルに遷移するかどうかの判定を行う際に、ＳＩＢ５における「周波数１」に対応するＮＳ値のリスト（又は、ＮＳ値とＰｍａｘＮｅｗとｑ−ＲｘＬｅｖＭｉｎ−ＰｍａｘＮｅｗのセットのリスト）を参照して、当該「周波数１」において、ユーザ装置ＵＥが適用可能なＮＳ値のうち、最も優先度の高いＮＳ値を選択し、更に、当該ＮＳ値に対応するＰｍａｘＮｅｗ及びｑ−ＲｘＬｅｖＭｉｎ−ＰｍａｘＮｅｗを選択し、選択したｑ−ＲｘＬｅｖＭｉｎ−ＰｍａｘＮｅｗを適用してＳｒｘｌｅｖを計算し、「Ｓｒｘｌｅｖ＞０」を満たすかどうかの判定を行う。
【００９７】
第１の実施の形態で説明した計算を行う場合において、ＳＩＢ５に関する変形例に対応する３ＧＰＰ仕様書（３ＧＰＰ  ＴＳ  ３６．３３１）の記載例（抜粋）を図１２、図１３に示す。図１２、図１３において、非特許文献２からの変更箇所に下線が引かれている。
【００９８】
図１２は、ＳＩＢ５（ＳｙｓｔｅｍＩｎｆｏｒｍａｔｉｏｎＢｌｏｃｋＴｙｐｅ５  ｉｎｆｏｒｍａｔｉｏｎ  ｅｌｅｍｅｎｔ）の抜粋を示す。図１２に示すように、ＭＰＲ−ＩｎｆｏのリストとしてｍｕｌｔｉＭＰＲ−ＩｎｆｏＬｉｓｔが追加されている。ｍｕｌｔｉＭＰＲ−ＩｎｆｏＬｉｓｔは、周辺セルの周波数毎に含められる。図１３の説明に示すように、本例において、ｍｕｌｔｉＭＰＲ−ＩｎｆｏＬｉｓｔは、ａｄｄｉｔｉｏｎａｌＳｐｅｃｔｒｕｍＥｍｉｓｓｉｏｎ（ＮＳ値）と、これに対応するｐ−Ｍａｘの値（ＰｍａｘＮｅｗ）の組を優先度順に並べたリストである。ＰｍａｘＮｅｗがＭＰＲ−Ｉｎｆｏにない場合、ユーザ装置ＵＥは、ＩｎｔｅｒＦｒｅｑＣａｒｒｉｅｒＦｒｅｑＩｎｆｏにおけるｐ−Ｍａｘ（Ｐｍａｘ）を適用する。また、ユーザ装置ＵＥが、リストにおけるいずれのａｄｄｉｔｉｏｎａｌＳｐｅｃｔｒｕｍＥｍｉｓｓｉｏｎ（ＮＳ値）もサポートしない場合、ユーザ装置ＵＥは、ＩｎｔｅｒＦｒｅｑＣａｒｒｉｅｒＦｒｅｑＩｎｆｏにおけるｐ−Ｍａｘ（Ｐｍａｘ）を適用する。
【００９９】
第２の実施の形態で説明した計算を行う場合において、ＳＩＢ５に関する変形例に対応する３ＧＰＰ仕様書（３ＧＰＰ  ＴＳ  ３６．３３１）の記載例（抜粋）を図１４、図１５に示す。図１４、図１５において、非特許文献２からの変更箇所に下線が引かれている。
【０１００】
図１４、図１５に示すように、ＰｍａｘＮｅｗとＮＳ値（ａｄｄｉｔｉｏｎａｌＳｐｅｃｔｒｕｍＥｍｉｓｓｉｏｎ）とｑ−ＲｘＬｅｖＭｉｎ−ＰｍａｘＮｅｗのリストが含まれる。当該ＳＩＢ５を受信したユーザ装置ＵＥは、周辺セルの周波数に対応するリストから、自身がサポートする最初の（優先度の最も高い）ＮＳ値（ａｄｄｉｔｉｏｎａｌ  ｓｐｅｃｔｒｕｍ  ｅｍｉｓｓｉｏｎ  ｖａｌｕｅ）を選択し、当該ＮＳ値に対応するＰｍａｘＮｅｗとｑ−ＲｘＬｅｖＭｉｎ−ＰｍａｘＮｅｗを選択する。もしもリストの中にユーザ装置ＵＥが適用可能なＮＳ値がない場合、ユーザ装置ＵＥは、既存のｐ−Ｍａｘ（Ｐｍａｘ）とｑ−ＲｘＬｅｖＭｉｎを適用する。なお、図１４、図１５は一例に過ぎない。図１４、図１５に示す例の他、図１２、図１３に示す例において、ｑ−ＲｘＬｅｖＭｉｎ−ＰｍａｘＮｅｗを追加することとしてもよい。
【０１０１】
上記の例において、異周波数セル再選択に用いられるＳＩＢ５について説明したが、同一周波数セル再選択（ｉｎｔｒａ−ｆｒｅｑｕｅｎｃｙ  ｃｅｌｌ  ｒｅ−ｓｅｌｅｃｔｉｏｎ）に関しては、ターゲットセルへの遷移を行うかどうかを判定するために用いられるｐ−Ｍａｘの値（Ｐｍａｘに相当）はＳＩＢ３の中に含められている。
【０１０２】
ＳＩＢ５の場合と同様に、既存のＳＩＢ３には、ターゲットセルのＮＳ値が含まれないため、上記のｐ−Ｍａｘがターゲットセルの選定において最適な値ではない可能性がある。
【０１０３】
そこで、本変形例では、同一周波数セル再選択においても、ユーザ装置ＵＥがセル遷移を行うかどうかを適切に判定できるように、ＳＩＢ３の中に、遷移先のセル（ｎｅｉｇｈｂｏｒ  ｃｅｌｌｓ）に対する複数のＮＳ値と、当該複数のＮＳ値のそれぞれに対応するｐ−Ｍａｘの値（以下、ＰｍａｘＮｅｗ）を含めることとしている。ただし、後述するように、複数のＮＳ値と、当該複数のＮＳ値のそれぞれに対応するＰｍａｘＮｅｗを含めない方式も可能であるため、以下では、複数のＮＳ値と、当該複数のＮＳ値のそれぞれに対応するＰｍａｘＮｅｗを含める場合を方式１とし、含めない場合を方式２として説明する。なお、方式１と方式２のいずれも変形例に含まれる方式である。
【０１０４】
＜方式１＞
ＳＩＢ３に含める複数のＮＳ値は、例えば、優先度の高い順（ｄｅｃｒｅａｓｉｎｇ  ｏｒｄｅｒ  ｏｆ  ｐｒｉｏｒｉｔｙ）に並べられたリストとして基地局ｅＮＢからユーザ装置ＵＥに通知される。また、当該複数のＮＳ値に対応する複数のＰｍａｘＮｅｗの値は、ＮＳ値のリストにおけるＮＳ値の並び順と同じ順番でＰｍａｘＮｅｗを並べたリストとして通知される。また、ＮＳ値と当該ＮＳ値に対応するＰｍａｘＮｅｗの値とを組とし、当該組を優先度の高い順番に並べたリストをＳＩＢ３に含め、基地局ｅＮＢからユーザ装置ＵＥに通知してもよい。また、ｑ−ＲｘＬｅｖＭｉｎ−ＰｍａｘＮｅｗを用いる場合には、各ＮＳ値／ＰｍａｘＮｅｗに対応するｑ−ＲｘＬｅｖＭｉｎ−ＰｍａｘＮｅｗが通知される。
【０１０５】
なお、リストでの並べ方について、優先度の高い順とすることは例であり、優先度の低い順であってもよい。
【０１０６】
第１の実施の形態に基づく計算（ＰＥＭＡＸｃｏｍｐｅｎｓａｔｉｏｎを使用する計算、（１）、（２）の式を用いる計算、（１）、（３）の式を用いる計算）を行う場合、一例として、ＳＩＢ３の中に、遷移先のセルで適用し得るＮＳ値とＰｍａｘＮｅｗの値の組のリストとして、「（ＮＳ値１，ＰｍａｘＮｅｗ１），（ＮＳ値２，ＰｍａｘＮｅｗ２），（ＮＳ値３，ＰｍａｘＮｅｗ３）」が含められる。
【０１０７】
ＳＩＢ３に含まれる上記のリストを受信したユーザ装置ＵＥは、同一周波数セル再選択において、同一周波数の他のセルに遷移するかどうかの判定を行う際に、ＳＩＢ３におけるＮＳ値のリスト（又は、ＮＳ値とＰｍａｘＮｅｗとの組のリスト）を参照して、ユーザ装置ＵＥが適用可能なＮＳ値のうち、最も優先度の高いＮＳ値を選択し、更に、当該ＮＳ値に対応するＰｍａｘＮｅｗを選択し、選択したＰｍａｘＮｅｗを適用して判定を実施する。つまり、選択したＰｍａｘＮｅｗを適用してＳｒｘｌｅｖを計算し、「Ｓｒｘｌｅｖ＞０」を満たすかどうかの判定を行う。Ｓｒｘｌｅｖの計算は、セル選択の場合と同じであり、ＰＥＭＡＸｃｏｍｐｅｎｓａｔｉｏｎ、もしくは、（１）、（２）の式、あるいは（１）、（３）の式を使用する。
【０１０８】
また、第２の実施の形態に基づく計算（ｑ−ＲｘＬｅｖＭｉｎ−ＰｍａｘＮｅｗを使用する計算）を行う場合、一例として、ＳＩＢ３の中に、遷移先のセルで適用し得るＮＳ値とＰｍａｘＮｅｗとｑ−ＲｘＬｅｖＭｉｎ−ＰｍａｘＮｅｗの値の組のリストとして、「（ＮＳ値１，ＰｍａｘＮｅｗ１，ｑ−ＲｘＬｅｖＭｉｎ−ＰｍａｘＮｅｗ１），（ＮＳ値２，ＰｍａｘＮｅｗ２，ｑ−ＲｘＬｅｖＭｉｎ−ＰｍａｘＮｅｗ２），（ＮＳ値３，ＰｍａｘＮｅｗ３，ｑ−ＲｘＬｅｖＭｉｎ−ＰｍａｘＮｅｗ３）」が含められる。
【０１０９】
ＳＩＢ３に含まれる上記のリストを受信したユーザ装置ＵＥは、同一周波数セル再選択において、同一周波数の他のセルに遷移するかどうかの判定を行う際に、ＳＩＢ３におけるＮＳ値のリスト（又は、ＮＳ値とＰｍａｘＮｅｗとｑ−ＲｘＬｅｖＭｉｎ−ＰｍａｘＮｅｗの組のリスト）を参照して、ユーザ装置ＵＥが適用可能なＮＳ値のうち、最も優先度の高いＮＳ値を選択し、更に、当該ＮＳ値に対応するＰｍａｘＮｅｗとｑ−ＲｘＬｅｖＭｉｎ−ＰｍａｘＮｅｗを選択し、選択したｑ−ＲｘＬｅｖＭｉｎ−ＰｍａｘＮｅｗを適用して判定を実施する。つまり、選択したｑ−ＲｘＬｅｖＭｉｎ−ＰｍａｘＮｅｗを適用してＳｒｘｌｅｖを計算し、「Ｓｒｘｌｅｖ＞０」を満たすかどうかの判定を行う。
【０１１０】
第１の実施の形態で説明した計算を行う場合において、ＳＩＢ３に関する変形例に対応する３ＧＰＰ仕様書（３ＧＰＰ  ＴＳ  ３６．３３１）の記載例（抜粋）を図１６、図１７に示す。図１６、図１７において、非特許文献２からの変更箇所に下線が引かれている。
【０１１１】
図１６は、ＳＩＢ３（ＳｙｓｔｅｍＩｎｆｏｒｍａｔｉｏｎＢｌｏｃｋＴｙｐｅ３  ｉｎｆｏｒｍａｔｉｏｎ  ｅｌｅｍｅｎｔ）の抜粋を示す。図１６に示すように、ＭＰＲ−ＩｎｆｏのリストとしてｍｕｌｔｉＭＰＲ−ＩｎｆｏＬｉｓｔが追加されている。図１７に示すように、本例において、ｍｕｌｔｉＭＰＲ−ＩｎｆｏＬｉｓｔは、ａｄｄｉｔｉｏｎａｌＳｐｅｃｔｒｕｍＥｍｉｓｓｉｏｎ（ＮＳ値）と、これに対応するｐ−Ｍａｘの値（本実施の形態でのＰｍａｘＮｅｗ）の組を優先度順に並べたリストである。ｐ−Ｍａｘ（ＰｍａｘＮｅｗ）がＭＰＲ−Ｉｎｆｏにない場合、ユーザ装置ＵＥは、ｉｎｔｒａＦｒｅｑＣｅｌｌＲｅｓｅｌｅｃｔｉｏｎＩｎｆｏにおけるｐ−Ｍａｘ（Ｐｍａｘ）を適用する。また、ユーザ装置ＵＥが、リストにおけるいずれのａｄｄｉｔｉｏｎａｌＳｐｅｃｔｒｕｍＥｍｉｓｓｉｏｎ（ＮＳ値）もサポートしない場合、ユーザ装置ＵＥは、ｉｎｔｒａＦｒｅｑＣｅｌｌＲｅｓｅｌｅｃｔｉｏｎＩｎｆｏにおけるｐ−Ｍａｘ（Ｐｍａｘ）を適用する。
【０１１２】
第２の実施の形態で説明した計算を行う場合において、ＳＩＢ３に関する変形例に対応する３ＧＰＰ仕様書（３ＧＰＰ  ＴＳ  ３６．３３１）の記載例（抜粋）を図１８、図１９に示す。図１８、図１９において、非特許文献２からの変更箇所に下線が引かれている。
【０１１３】
図１８、図１９に示すように、ＰｍａｘＮｅｗとＮＳ値（ａｄｄｉｔｉｏｎａｌＳｐｅｃｔｒｕｍＥｍｉｓｓｉｏｎ）とｑ−ＲｘＬｅｖＭｉｎ−ＰｍａｘＮｅｗのリストが含まれる。当該ＳＩＢ３を受信したユーザ装置ＵＥは、自身がサポートする最初の（優先度の最も高い）ＮＳ値（ａｄｄｉｔｉｏｎａｌ  ｓｐｅｃｔｒｕｍ  ｅｍｉｓｓｉｏｎ  ｖａｌｕｅ）を選択し、当該ＮＳ値に対応するＰｍａｘＮｅｗとｑ−ＲｘＬｅｖＭｉｎ−ＰｍａｘＮｅｗを選択する。もしもリストの中にユーザ装置ＵＥが適用可能なＮＳ値がない場合、ユーザ装置ＵＥは、既存のｐ−Ｍａｘ（Ｐｍａｘ）とｑ−ＲｘＬｅｖＭｉｎを適用する。なお、図１８、図１９は一例に過ぎない。図１８、図１９に示す例の他、図１６、図１７に示す例において、ｑ−ＲｘＬｅｖＭｉｎ−ＰｍａｘＮｅｗを追加することとしてもよい。
【０１１４】
＜方式２＞
方式１では、ＳＩＢ３の中に、複数のＮＳ値と、当該複数のＮＳ値のそれぞれに対応するＰｍａｘＮｅｗを含めることとしたが、方式２では、ＳＩＢ３自体は既存のＳＩＢ３（例：非特許文献２に記載された「SystemInformationBlockType3 information element」の記載内容）を用いることができる。
【０１１５】
方式２では、ＳＩＢ３を受信したユーザ装置ＵＥは、ＳＩＢ３の中のｐ−Ｍａｘを、ＳＩＢ１で複数のＰｍａｘＮｅｗから選択（適用）したＰｍａｘＮｅｗに置き換え、当該ＰｍａｘＮｅｗを用いて判定を実施する。つまり、当該ＰｍａｘＮｅｗを適用してＳｒｘｌｅｖを計算し、「Ｓｒｘｌｅｖ＞０」を満たすかどうかの判定を行う。Ｓｒｘｌｅｖの計算は、セル選択の場合と同じであり、ＰＥＭＡＸｃｏｍｐｅｎｓａｔｉｏｎ、もしくは、（１）、（２）の式、あるいは（１）、（３）の式を使用する。
【０１１６】
方式２における３ＧＰＰ仕様書（３ＧＰＰ  ＴＳ  ３６．３３１の５．２．２．１０）の記載例（抜粋）を図２０に示す。非特許文献２からの変更箇所に下線が引かれている。
【０１１７】
既に説明したように、ＳＩＢ１の中に、ユーザ装置ＵＥ自身が適用するバンドにおけるＮＳ値とＰｍａｘＮｅｗのリストが含まれ、ユーザ装置ＵＥは、自身が適用可能な最も優先度の高い（最初にリストされた）ＮＳ値を選択するとともに、当該ＮＳ値に対応するＰｍａｘＮｅｗを選択する。
【０１１８】
そして、ユーザ装置ＵＥは、ＳＩＢ３を受信すると、ＳＩＢ１から選択したＰｍａｘＮｅｗ（図２０では「ａｄｄｉｔｉｏｎａｌＰｍａｘ」と表記）で、ＳＩＢ３におけるｐ−Ｍａｘを置き換える。つまり、ユーザ装置ＵＥは、ＳＩＢ１から選択したＰｍａｘＮｅｗを、ＳＩＢ３のｐ−Ｍａｘと見なして、同一周波数セル再選択を実施する。
【０１１９】
なお、方式２の動作を行う場合でも、ＳＩＢ３に、ｐ−Ｍａｘに加えて、複数のＮＳ値と、当該複数のＮＳ値のそれぞれに対応するＰｍａｘＮｅｗが含まれていてもよい。この場合、例えば、ユーザ装置ＵＥは、方式１と方式２のどちらを実行するかを設定により選択することができることとしてよい。当該設定は、ユーザ装置ＵＥに対して固定的にされていてもよいし、基地局ｅＮＢからのシグナリングで行うこととしてもよい。
【０１２０】
ＳＩＢ１の例については既に図４、図５に示したが、図２１、図２２はＳＩＢ１の他の例を示す。これらのＳＩＢ１は、ＮＳ値とＰｍａｘＮｅｗのリストの報知を実現するＳＩＢ１であるという点で共通するものである。図２１、図２２に示すＳＩＢ１は、図２０に示したＳＩＢ３に係る動作の記載に対応するものであり、ＮＳ値とＰｍａｘＮｅｗのリストとして「ＮＳ−ＰｍａｘＬｉｓｔ」が追加されている。
【０１２１】
図２３は、図２１に示すＳＩＢ１を受信したユーザ装置ＵＥの動作を記述した仕様書の変更例を示している。図２３の下線部分に記載の動作は、図４、図５を参照して説明した動作と基本的に同じである。つまり、ユーザ装置ＵＥは、選択したバンド（例：ｆｒｅｑＢａｎｄＩｎｄｉｃａｔｏｒで示すバンド）に対応するＮＳ値のリストから、自身がサポートする最初の（優先度の最も高い）ＮＳ値（ａｄｄｉｔｉｏｎａｌ  ｓｐｅｃｔｒｕｍ  ｅｍｉｓｓｉｏｎ  ｖａｌｕｅ）を選択し、当該ＮＳ値に対応するＰｍａｘＮｅｗ（「ａｄｄｉｔｉｏｎａｌＰｍａｘ」）を選択する。
【０１２２】
（装置構成）
次に、本発明の実施の形態（第１、第２の実施の形態、及び変形例を含む）におけるユーザ装置ＵＥと基地局ｅＮＢの構成例を示す。
【０１２３】
＜ユーザ装置ＵＥ＞
図２４に、ユーザ装置ＵＥの機能構成図を示す。図２４に示すように、ユーザ装置ＵＥは、ＤＬ信号受信部１０１、ＵＬ信号送信部１０２、ＲＲＣ処理部１０３、セル選択制御部１０４を備える。なお、図２４は、ユーザ装置ＵＥにおいて本発明に特に関連する機能部のみを示すものであり、ユーザ装置ＵＥは、少なくともＬＴＥに準拠した動作を行うための図示しない機能も有するものである。
【０１２４】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。
【０１２５】
ＲＲＣ処理部１０３は、本実施の形態（第１、第２の実施の形態、及び変形例を含む）で説明したＳＩＢ１、ＳＩＢ２、ＳＩＢ３、ＳＩＢ５等の受信、読み取りを行うとともに、ＮＳ値の選択、ＰｍａｘＮｅｗ／Ｐｍａｘ、ｑ−ＲｘＬｅｖＭｉｎ−ＰｍａｘＮｅｗ／ｑ−ＲｘＬｅｖＭｉｎの選択の処理等を実施する。また、ＲＲＣ処理部１０３は、方式２で説明したように、ＳＩＢ３受信時において、ＳＩＢ３のｐ−ＭａｘをＳＩＢ１から選択したＰｍａｘＮｅｗに置き換える処理も行うことができる。ＲＲＣ処理部１０３を、選択部もしくは選択手段と称しても良い。
【０１２６】
セル選択制御部１０４は、セル選択及びセル再選択を実行する機能を含む。すなわち、セル選択制御部１０４には、選択されたＮＳ値に対応する最大送信電力（ＰｍａｘＮｅｗ）／最低受信レベル（ｑ−ＲｘＬｅｖＭｉｎ−ＰｍａｘＮｅｗ、Ｑｒｘｌｅｖｍｉｎ）を用いてセル選択又はセル再選択を実行する制御手段が含まれる。セル選択制御部１０４を、制御部もしくは制御手段と称しても良い。
【０１２７】
図２４に示すユーザ装置ＵＥの構成は、全体をハードウェア回路（例：１つ又は複数のＩＣチップ）で実現してもよいし、一部をハードウェア回路で構成し、その他の部分をＣＰＵとプログラムとで実現してもよい。
【０１２８】
図２５は、ユーザ装置ＵＥのハードウェア（ＨＷ）構成の例を示す図である。図２５は、図２４よりも実装例に近い構成を示している。図２５に示すように、ＵＥは、無線信号に関する処理を行うＲＥ（Ｒａｄｉｏ  Ｅｑｕｉｐｍｅｎｔ）モジュール１５１と、ベースバンド信号処理を行うＢＢ（Ｂａｓｅ  Ｂａｎｄ）処理モジュール１５２と、上位レイヤ等の処理を行う装置制御モジュール１５３と、ＵＳＩＭカードにアクセスするインタフェースであるＵＳＩＭスロット１５４とを有する。
【０１２９】
ＲＥモジュール１５１は、ＢＢ処理モジュール１５２から受信したデジタルベースバンド信号に対して、Ｄ／Ａ（Ｄｉｇｉｔａｌ−ｔｏ−Ａｎａｌｏｇ）変換、変調、周波数変換、及び電力増幅等を行うことでアンテナから送信すべき無線信号を生成する。また、受信した無線信号に対して、周波数変換、Ａ／Ｄ（Ａｎａｌｏｇ  ｔｏ  Ｄｉｇｉｔａｌ）変換、復調等を行うことでデジタルベースバンド信号を生成し、ＢＢ処理モジュール１５２に渡す。ＲＥモジュール１５１は、例えば、図２４のＤＬ信号受信部１０１及びＵＬ信号送信部１０２における物理レイヤ等の機能を含む。
【０１３０】
ＢＢ処理モジュール１５２は、ＩＰパケットとデジタルベースバンド信号とを相互に変換する処理を行う。ＤＳＰ（Ｄｉｇｉｔａｌ  Ｓｉｇｎａｌ  Ｐｒｏｃｅｓｓｏｒ）１６２は、ＢＢ処理モジュール１５２における信号処理を行うプロセッサである。メモリ１７２は、ＤＳＰ１６２のワークエリアとして使用される。ＢＢ処理モジュール１５２は、例えば、図２４のＤＬ信号受信部１０１及びＵＬ信号送信部１０２におけるレイヤ２等の機能、ＲＲＣ処理部１０３及びセル選択制御部１０４を含む。なお、ＲＲＣ処理部１０３及びセル選択制御部１０４の機能の全部又は一部を装置制御モジュール１５３に含めることとしてもよい。
【０１３１】
装置制御モジュール１５３は、ＩＰレイヤのプロトコル処理、各種アプリケーションの処理等を行う。プロセッサ１６３は、装置制御モジュール１５３が行う処理を行うプロセッサである。メモリ１７３は、プロセッサ１６３のワークエリアとして使用される。また、プロセッサ１６３は、ＵＳＩＭスロット１５４を介してＵＳＩＭとの間でデータの読出し及び書込みを行う。
【０１３２】
＜基地局ｅＮＢ＞
図２６に、基地局ｅＮＢの機能構成図を示す。図２１に示すように、基地局ｅＮＢは、ＤＬ信号送信部２０１、ＵＬ信号受信部２０２、ＲＲＣ処理部２０３、送信電力制御部２０４を備える。なお、図２６は、基地局ｅＮＢにおいて本発明の実施の形態に特に関連する機能部のみを示すものであり、基地局ｅＮＢは、少なくともＬＴＥ方式に準拠した動作を行うための図示しない機能も有するものである。
【０１３３】
ＤＬ信号送信部２０１は、基地局ｅＮＢから送信されるべき上位のレイヤの情報から、物理レイヤの各種信号を生成し、送信する機能を含む。ＵＬ信号受信部２０２は、ユーザ装置ＵＥから各種の上り信号を受信し、受信した物理レイヤの信号からより上位のレイヤの情報を取得する機能を含む。
【０１３４】
ＲＲＣ処理部２０３は、本実施の形態（第１、第２の実施の形態、及び変形例を含む）で説明したＳＩＢ１、ＳＩＢ２、ＳＩＢ３、ＳＩＢ５等の作成、送信を行う。送信電力制御部２０４は、例えば、ユーザ装置ＵＥの最大送信電力を考慮して、ユーザ装置ＵＥに対するスケジューリングやＵＬ電力制御等を実施する。
【０１３５】
図２６に示す基地局ｅＮＢの構成は、全体をハードウェア回路（例：１つ又は複数のＩＣチップ）で実現してもよいし、一部をハードウェア回路で構成し、その他の部分をＣＰＵとプログラムとで実現してもよい。
【０１３６】
図２７は、基地局ｅＮＢのハードウェア（ＨＷ）構成の例を示す図である。図２７は、図２６よりも実装例に近い構成を示している。図２７に示すように、基地局ｅＮＢは、無線信号に関する処理を行うＲＥモジュール２５１と、ベースバンド信号処理を行うＢＢ処理モジュール２５２と、上位レイヤ等の処理を行う装置制御モジュール２５３と、ネットワークと接続するためのインタフェースである通信ＩＦ２５４とを有する。
【０１３７】
ＲＥモジュール２５１は、ＢＢ処理モジュール２５２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール２５２に渡す。ＲＥモジュール２５１は、例えば、図２６のＤＬ信号送信部２０１及びＵＬ信号受信部２０２における物理レイヤ等の機能を含む。
【０１３８】
ＢＢ処理モジュール２５２は、ＩＰパケットとデジタルベースバンド信号とを相互に変換する処理を行う。ＤＳＰ２６２は、ＢＢ処理モジュール２５２における信号処理を行うプロセッサである。メモリ２７２は、ＤＳＰ２５２のワークエリアとして使用される。ＢＢ処理モジュール２５２は、例えば、図２６のＤＬ信号送信部２０１及びＵＬ信号受信部２０２におけるレイヤ２等の機能、ＲＲＣ処理部２０３及び送信電力制御部２０４を含む。なお、ＲＲＣ処理部２０３及び送信電力制御部２０４の機能の全部又は一部を装置制御モジュール２５３に含めることとしてもよい。
【０１３９】
装置制御モジュール２５３は、ＩＰレイヤのプロトコル処理、ＯＡＭ処理等を行う。プロセッサ２６３は、装置制御モジュール２５３が行う処理を行うプロセッサである。メモリ２７３は、プロセッサ２６３のワークエリアとして使用される。補助記憶装置２８３は、例えばＨＤＤ等であり、基地局ｅＮＢ自身が動作するための各種設定情報等が格納される。
【０１４０】
なお、図２４〜図２７に示す装置の構成（機能区分）は一例に過ぎない。本実施の形態（第１、第２の実施の形態、及び変形例を含む）で説明する処理を実現できるのであれば、その実装方法（具体的な機能部の配置、名称等）は、特定の実装方法に限定されない。
【０１４１】
また、ユーザ装置ＵＥ及び基地局ｅＮＢはそれぞれ、第１、第２の実施の形態、及び変形例の全ての機能を備えることとしてもよいし、第１の実施の形態及びそれに対応する変形例の機能のみ、もしくは、第２の実施の形態及びそれに対応する変形例の機能のみを有することとしてもよい。
【０１４２】
（実施の形態のまとめ）
以上、説明したように、本実施の形態によれば、基地局とユーザ装置とを備える移動通信システムにおける前記ユーザ装置であって、前記基地局から、複数のシグナリング値と、当該複数のシグナリング値のそれぞれに対応する複数の最大送信電力値とを受信し、当該複数のシグナリング値のうちの１つのシグナリング値を選択し、当該選択したシグナリング値に対応する最大送信電力値を選択する選択手段と、セル選択又はセル再選択における判定対象のセルに対して予め定められた最低受信レベル値から、前記最大送信電力値に基づく補償値を引いて得られた補正値と、当該判定対象のセルに対して測定した受信レベル値とを用いて、当該判定対象のセルにおける当該受信レベル値が所定の条件を満たすか否かを判定することによりセル選択又はセル再選択を実行する制御手段とを備えることを特徴とするユーザ装置が提供される。
【０１４３】
上記の構成により、基地局から複数のシグナリング値と、各シグナリング値に対応する最大送信電力値とが送信される移動通信システムにおいて、ユーザ装置が適切にセル選択又はセル再選択を行うことが可能となる。
【０１４４】
前記選択手段は、前記基地局から、前記複数のシグナリング値のいずれにも対応しない共通最大送信電力値を受信し、前記制御手段は、前記最大送信電力値から前記共通最大送信電力値を引くことにより前記補償値を算出することとしてもよい。
【０１４５】
上記の「共通最大送信電力値」（実施の形態でのＰｍａｘ、ｐ−Ｍａｘ等に対応）は、Ａ−ＭＰＲが許容されない旧ＵＥへの適用が想定され、選択したシグナリング値に対応する最大送信電力値（ＰｍａｘＮｅｗ）よりも小さな値となると考えられる。前記最大送信電力値から前記共通最大送信電力値を引くことにより前記補償値を算出することで、新ＵＥのＵＬ最大送信電力を考慮した適切な補償値を算出できる。
【０１４６】
例えば、前記複数のシグナリング値は優先度順に並べられており、前記選択手段は、前記複数のシグナリング値の中から、前記ユーザ装置がサポートするシグナリング値のうち、最も優先度の高いシグナリング値を選択する。この構成により、ユーザ装置は、自身にとって最適なシグナリング値を選択でき、結果として最適な最大送信電力値を選択できる。
【０１４７】
前記所定の条件は、例えば、前記受信レベル値から前記補正値を引いた値が０より大きいことである。この構成により、補正値を使用しない場合に比べて、カバレッジを拡大することができる。
【０１４８】
前記制御手段は、セル選択を行う際には、前記基地局からＳＩＢ１で受信した最大送信電力値を使用し、セル再選択を行う際には、前記基地局からＳＩＢ３又はＳＩＢ５で受信した最大送信電力値を使用するようにしてもよい。この構成により、目的に応じた適切な最大送信電力値を使用することができる。また、前記制御手段は、セル再選択を行う際に、前記基地局からＳＩＢ１で受信した最大送信電力値を使用することとしてもよい。この構成により、既存のＳＩＢ３を利用することができる。
【０１４９】
また、本実施の形態によれば、基地局とユーザ装置とを備える移動通信システムにおける前記ユーザ装置であって、前記基地局から、複数のシグナリング値と、当該複数のシグナリング値のそれぞれに対応する複数のパラメータ（例：ｑ−ＲｘＬｅｖＭｉｎ−ＰｍａｘＮｅｗ）とを受信し、当該複数のシグナリング値のうちの１つのシグナリング値を選択し、当該選択したシグナリング値に対応するパラメータを選択する選択手段と、セル選択又はセル再選択における判定対象のセルに対する前記パラメータに基づく最低受信レベル値と、当該判定対象のセルに対して測定した受信レベル値とを用いて、当該判定対象のセルにおける当該受信レベル値が所定の条件を満たすか否かを判定することによりセル選択又はセル再選択を実行する制御手段とを備えることを特徴とするユーザ装置が提供される。
【０１５０】
また、本実施の形態によれば、基地局とユーザ装置とを備える移動通信システムであって、前記基地局は、複数のシグナリング値と、当該複数のシグナリング値のそれぞれに対応する複数のパラメータ（例：ｑ−ＲｘＬｅｖＭｉｎ−ＰｍａｘＮｅｗ）とを送信する手段を備え、前記ユーザ装置は、前記基地局から、前記複数のシグナリング値と、当該複数のシグナリング値のそれぞれに対応する複数のパラメータとを受信し、当該複数のシグナリング値のうちの１つのシグナリング値を選択し、当該選択したシグナリング値に対応するパラメータを選択する選択手段と、セル選択又はセル再選択における判定対象のセルに対する前記パラメータに基づく最低受信レベル値と、当該判定対象のセルに対して測定した受信レベル値とを用いて、当該判定対象のセルにおける当該受信レベル値が所定の条件を満たすか否かを判定することによりセル選択又はセル再選択を実行する制御手段と、を備えることを特徴とする移動通信システムが提供される。
【０１５１】
本実施の形態で説明したユーザ装置ＵＥは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１５２】
本実施の形態で説明した基地局ｅＮＢは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１５３】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び、基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１５４】
本発明は上記実施形態に限定されず、本発明の精神から逸脱することなく、様々な変形例、修正例、代替例、置換例等が本発明に包含される。
【符号の説明】
【０１５５】
ｅＮＢ  基地局
ＵＥ  ユーザ装置
１０１  ＤＬ信号受信部
１０２  ＵＬ信号送信部
１０３  ＲＲＣ処理部
１０４  セル選択制御部
２０１  ＤＬ信号送信部
２０２  ＵＬ信号受信部
２０３  ＲＲＣ処理部
２０４  送信電力制御部
【要約】
【課題】基地局から複数のシグナリング値と、各シグナリング値に対応する最大送信電力値とが送信される移動通信システムにおいて、ユーザ装置が適切にセル選択又はセル再選択を行う。
【解決手段】ユーザ装置において、基地局から、複数のシグナリング値と、当該複数のシグナリング値のそれぞれに対応する複数の最大送信電力値とを受信し、当該複数のシグナリング値のうちの１つのシグナリング値を選択し、当該選択したシグナリング値に対応する最大送信電力値を選択する選択手段と、セル選択又はセル再選択における判定対象のセルに対して予め定められた最低受信レベル値から、前記最大送信電力値に基づく補償値を引いて得られた補正値と、当該判定対象のセルに対して測定した受信レベル値とを用いて、当該判定対象のセルにおける当該受信レベル値が所定の条件を満たすか否かを判定することによりセル選択又はセル再選択を実行する制御手段とを備える。
【選択図】図８【図１】
0006041965.tif 000002
【図２】
0006041965.tif 000003
【図３】
0006041965.tif 000004
【図４】
0006041965.tif 000005
【図５】
0006041965.tif 000006
【図６】
0006041965.tif 000007
【図７】
0006041965.tif 000008
【図８】
0006041965.tif 000009
【図９】
0006041965.tif 000010
【図１０】
0006041965.tif 000011
【図１１】
0006041965.tif 000012
【図１２】
0006041965.tif 000013
【図１３】
0006041965.tif 000014
【図１４】
0006041965.tif 000015
【図１５】
0006041965.tif 000016
【図１６】
0006041965.tif 000017
【図１７】
0006041965.tif 000018
【図１８】
0006041965.tif 000019
【図１９】
0006041965.tif 000020
【図２０】
0006041965.tif 000021
【図２１】
0006041965.tif 000022
【図２２】
0006041965.tif 000023
【図２３】
0006041965.tif 000024
【図２４】
0006041965.tif 000025
【図２５】
0006041965.tif 000026
【図２６】
0006041965.tif 000027
【図２７】
0006041965.tif 000028